(57)【要約】      （修正有）【課題】コップの開閉を簡単に操作できる磁気吸着魔法瓶を提供する。【解決手段】瓶本体１と、上蓋２と、コップ３とを備える。瓶本体１は中央に収容室１１を有し、上方に開口部１２を有する。開口部１２の内側に雌ねじ部１３が設けられ、雌ねじ部１３に切欠部１３１及び第１係合体１３２が設けられる。上蓋３２は瓶本体１の収容室１１の開口部１２を気密に嵌着でき、上方に少なくとも１個の第１マグネット部材２２が設けられる。上蓋２に凹溝２４、パッキン２５及び瓶本体１の雌ねじ部１３と螺合できる雄ねじ部２６が設けられ、雄ねじ部２６に第１係合体１３２と係合できる第２係合体２６１が設けられる。コップ３は少なくとも１個の第２マグネット部材３１４を有し、上蓋２の外側に設けられる。第２マグネット部材３１４の底面極性と第１マグネット部材２２の頂面極性とは互いに逆極性である。【選択図】図１
0003227216.tif 000002
【実用新案登録請求の範囲】
【請求項１】
収容室を有し、上方に開口部を有する瓶本体と、
前記瓶本体の前記開口部に気密に嵌着でき、上方に少なくとも１個の第１マグネット部材が設けられる上蓋と、
周壁と、頂壁とを有し、前記上蓋の前記第１マグネット部材に対応する頂壁の位置に少なくとも１個の第２マグネット部材を有し、前記上蓋の外側に着脱可能に設けられるコップと、を備え、
前記第２マグネット部材の底面の極性と前記第１マグネット部材の頂面の極性とは互いに逆極性である、磁気吸着魔法瓶。
【請求項２】
前記第１マグネット部材、前記第２マグネット部材は、それぞれ３個あり、
前記第１マグネット部材同士、前記第２マグネット部材同士は、それぞれ互いに等間隔に配置される、請求項１に記載の磁気吸着魔法瓶。
【請求項３】
前記上蓋の上方の周縁に少なくとも１個の第１収容凹部が設けられ、前記第１収容凹部に少なくとも１個の前記第１マグネット部材が設けられ、前記第１マグネット部材の上方に蓋体が設けられる、請求項１に記載の磁気吸着魔法瓶。
【請求項４】
前記コップは、内蓋と、外蓋とを有し、
前記内蓋に周壁及び頂壁が設けられ、
前記上蓋の前記第１収容凹部に対応する頂壁の位置に少なくとも１個の第２収容凹部が設けられ、前記第２収容凹部に少なくとも１個の前記第２マグネット部材が設けられ、
前記外蓋は、前記内蓋の外側に設けられ、前記第２マグネット部材を内側にして前記内蓋に嵌着して前記内蓋を閉じることができる、請求項３に記載の磁気吸着魔法瓶。
【請求項５】
前記瓶本体の前記開口部の内側に雌ねじ部が設けられ、前記雌ねじ部に少なくとも１個の切欠部が設けられ、前記雌ねじ部側の前記切欠部に対応する位置に少なくとも１個の第１係合体が設けられ、
前記瓶本体の前記切欠部に対応する前記上蓋の側面の位置に少なくとも１個の凹溝が上下方向に設けられ、
前記凹溝に対応する前記上蓋の下方の位置に前記瓶本体の前記収容室の内壁と密着できるパッキンが設けられ、
前記上蓋に前記瓶本体の前記雌ねじ部と螺合できる雄ねじ部が設けられ、前記雄ねじ部に前記第１係合体と係合できる第２係合体が設けられ、
前記雄ねじ部が前記雌ねじ部にねじ込まれると、前記パッキンが前記瓶本体の前記収容室の前記内壁に密着し、
前記雄ねじ部を緩めて前記第２係合体と前記第１係合体とを係合させると、前記上蓋が所定位置に一部開いた状態にすることができる、請求項１に記載の磁気吸着魔法瓶。
【考案の詳細な説明】
【技術分野】
【０００１】
本考案は、磁気吸着魔法瓶に関し、特に、コップの開閉を簡単に操作できる磁気吸着魔法瓶に関する。
【背景技術】
【０００２】
従来の魔法瓶は、瓶本体と、上蓋と、コップとを備える。瓶本体は中央に液体を収容できる収容室を有し、上方に開口部を有し、開口部位置の内外表面に雌ねじ部、雄ねじ部が各々設けられる。上蓋に雄ねじ部が設けられ、雄ねじ部を介して上蓋を瓶本体の開口部の雌ねじ部と螺合させると共に開口部に密着することで、保温機能を持たせることができる。コップに雌ねじ部が設けられ、雌ねじ部は、瓶本体の開口部の雄ねじ部と螺合してコップを瓶本体と結合すると一体になり、持ち運びに便利である。また上蓋及びコップを回して瓶本体から分離すると、収容室内の液体をコップに注ぐことができ、コップは他の容器内の液体を受けて飲用することにも使用できる。
【０００３】
しかし、上記の構造は、コップを使用するたびにコップを回転させて緩め、使用後にコップを締める必要があるため、使用するには不便であり、コップをしっかりと締めないと、携帯中にコップが瓶本体から分離する可能性がある。また、前記上蓋を部分的に開けて位置決めすることができないため、一般的に先に瓶本体から分離してから収容室内の液体を注がなければならず、使用するのに不便であった。
【考案の概要】
【考案が解決しようとする課題】
【０００４】
本考案の主な目的は、簡単にコップの開閉ができる磁気吸着魔法瓶を提供することにある。
【０００５】
本考案の別の目的は、上蓋が一部開いた位置に配置することで、収容室内の液体を容易に注ぐことができる磁気吸着魔法瓶を提供することにある。
【課題を解決するための手段】
【０００６】
本考案は、瓶本体と、上蓋と、コップと、を備える。
前記瓶本体は中央に収容室を有し、上方に開口部を有する。
前記上蓋は、前記瓶本体の収容室の前記開口部を気密に嵌着でき、上方に少なくとも１個の第１マグネット部材が設けられる。
前記コップは、周壁と、頂壁とを有し前記上蓋の前記第１マグネット部材に対応する前記頂壁の位置に少なくとも１個の第２マグネット部材を有し、前記上蓋の外側に着脱可能に設けられる。
前記第２マグネット部材の底面の極性と前記第１マグネット部材の頂面の極性とは互いに逆極性である。
【０００７】
さらに、本考案の前記瓶本体の開口部の内側に雌ねじ部が設けられ、前記雌ねじ部に少なくとも１個の切欠部が設けられ、前記雌ねじ部側の前記切欠部に対応する位置に少なくとも１個の第１係合体が設けられる。
前記瓶本体の前記切欠部に対応する前記上蓋の側面の位置に少なくとも１個の凹溝が上下方向に設けられる。
前記凹溝に対応する前記上蓋の下方の位置に前記瓶本体の前記収容室の内壁と密着できるパッキンが設けられる。
前記上蓋に前記瓶本体の前記雌ねじ部と螺合できる雄ねじ部が設けられ、前記雄ねじ部に前記第１係合体と係合できる第２係合体が設けられる。
前記雄ねじ部が前記雌ねじ部にねじ込まれると、前記パッキンが前記瓶本体の収容室の前記内壁と密着する。
雄ねじ部を緩めて前記第２係合体と前記第１係合体とを係合させると、前記上蓋が所定位置に一部開いた状態とすることができる。
【０００８】
（本考案の効果）
本考案の組み立て時、上蓋の雄ねじ部を瓶本体の雌ねじ部にねじ込ませ、パッキンを瓶本体の収容室の内壁と密着させ、コップを上から下に上蓋に嵌め込むと共に第１マグネット部材、２マグネット部材の位置合わせを行うと、第１マグネット部材、２マグネット部材を直接吸着するように配置することができる。また、吸着した後、吸着力により下から上へコップを取り出しにくいため、より良好な組み立て安定性をコップに持たせる。
【０００９】
本考案は、コップを使用したい時、コップを回して、第１マグネット部材、第２マグネット部材の位置が合わないように互いに反発させることで、速やかにコップを取り外すことができ、便利に使用できるという効果を提供する。
【００１０】
本考案は、収容室内の液体を飲みたい時、上蓋を回して第１係合体、第２係合体を係合させると共に、上蓋が一部開いた位置に配置し、液体を上蓋の凹溝から流出させることができる。このように、上蓋を全開にする必要がないため、操作上の利便性を有するとともに、収容室内の液体温度が急速に変化することを防止でき、より優れた保温効果を提供することができる。
【図面の簡単な説明】
【００１１】
【図１】本考案の分解斜視図。
【図２】本考案のコップ組み付け動作を示す斜視図。
【図３】本考案のコップが瓶本体の上方に組み付けられた様子を示す斜視図。
【図４】本考案の一部組立て時の側面から見た部分断面図（上蓋を締め付けて瓶本体に気密に嵌着させた状態）。
【図５】本考案の組立て時の平面断面図（上蓋を締め付けて瓶本体に気密に嵌着させた状態）。
【図６】本考案のコップを開ける動作を示す斜視図。
【図７】本考案の上蓋を一部開いて第１係合体、第２係合体を係合させた様子を示す平面断面図。
【図８】本考案の上蓋の一部開いた状態の側面から見た断面図。
【考案を実施するための形態】
【００１２】
図１〜５を参照する。
本考案は、瓶本体１と、上蓋２と、コップ３とを備える。前記瓶本体１は中央に収容室１１を有し、上方に開口部１２を有する。前記開口部１２の内側に雌ねじ部１３が設けられ、前記雌ねじ部１３に２つの切欠部１３１が設けられ、雌ねじ部１３側の２つの切欠部１３１に対応する位置に第１係合体１３２が設けられる。
【００１３】
上蓋２は、瓶本体１の収容室１１の開口部１２を気密に嵌着でき、上方の周縁に３個の第１収容凹部２１が設けられる。各前記第１収容凹部２１はそれぞれ互いに等間隔で配置される。各第１収容凹部２１に第１マグネット部材２２が設けられ、第１マグネット部材２２の上方に蓋体２３が設けられる。蓋体２３を上蓋２の頂部に覆い被せた後、前記第１マグネット部材２２を外部に露出させることなく、収容室１１内の液体（図示せず）と接触することもなく、第１マグネット部材２２の脱落を防止することができる。
瓶本体１の２つの切欠部１３１に対応する上蓋２の側面の位置に２つの凹溝２４が上下方向に設けられる。前記瓶本体１の２つの切欠部１３１に対応する上蓋２側面の位置に少なくとも２個の凹溝２４が上下方向に設けられ、凹溝２４に対応する前記上蓋２の下方の位置に瓶本体１の収容室１１内壁と密着できるパッキン２５が設けられる。上蓋２に瓶本体１の雌ねじ部１３と螺合できる雄ねじ部２６が設けられ、雄ねじ部２６に第１係合体１３２と係合できる第２係合体２６１が設けられる。
図４に示すように、雄ねじ部２６が雌ねじ部１３にねじ込まれると、パッキン２５が瓶本体１の収容室１１の内壁と密着する。また図７、図８に示すように、雄ねじ部２６を緩めて第２係合体２６１と第１係合体１３２とを係合させると、上蓋２の瓶本体１から分離せず、かつ一部開いた状態とすることができる。このとき、パッキン２５を瓶本体１の収容室１１の内壁に密着させず、前記凹溝２４は瓶本体１雌ねじ部１３の切欠部１３１の位置に対応できる。
【００１４】
コップ３は、内蓋３１と、外蓋３２とを備え、上蓋２の外側に着脱可能に設けられる。前記内蓋３１は周壁３１１と、頂壁３１２とを備え、上蓋２の第１収容凹部２１に対応する前記頂壁３１２の位置に互いに等間隔に配置された第２収容凹部３１３が設けられ、各前記第２収容凹部３１３に第２マグネット部材３１４が設けられる。前記第２マグネット部材３１４の底面の極性と第１マグネット部材２２の頂面の極性とは互いに逆極性である。
前記外蓋３２は、内蓋３１の外側に設けられることで、第２マグネット部材３１４を内側にして前記内蓋に嵌着して前記内蓋を閉じて、第２マグネット部材３１４の脱落を防止できる。また第２マグネット部材２２が外部の液体に接触することを防止でき、コップ３の結合時の全体的なテクスチャーを改善することができる。
【００１５】
本考案の組み付け時、図１〜５に示すように、先に上蓋２に力をかけてこれを回転させ、雄ねじ部２６を瓶本体１の雌ねじ部１３にねじ込ませ、パッキン２５を瓶本体１の収容室１１の内壁と密着させる。図２、図３に示すように、コップ３を上から下に上蓋２に嵌め込むと共に第１マグネット部材２２、第２マグネット部材３１４を位置合わせすると、第１マグネット部材２２、第２マグネット部材３１４を互いに直接吸着させることができる。吸着後、吸着力により下から上へコップ３を取り出しにくくなるため、より良好な組み立て安定性をコップ３に持たせ、携帯時も脱落しない状態を確保できる。
【００１６】
本考案のコップ３を使用したい時、図６に示すように、コップ３を回し、第１マグネット部材２２、第２マグネット部材３１４の位置を合わせないようにして互いに反発させることで、速やかにコップ３を取り外すことができるため、便利に使用できるという効果を提供する。
【００１７】
図７、図８を参照すると、本考案の使用者は、収容室１１内の液体（図示せず）を飲みたい時、上蓋２を回して第１係合体１３２、第２係合体２６１を係合させると共に上蓋２が一部開いた位置にすることで、液体を上蓋２の凹溝２４から流出させることができる。液体を注ぐ過程では、前記上蓋２は緩んで回転することがなく、液体を注ぐ動作が容易となるため、上蓋を全開にする必要がない。そのため、操作上の利便性を有しており、収容室１１内の液体温度が急速に変化することを防止でき、より優れた保温効果を提供することができる。
【００１８】
前述のように、本考案は、コップの開閉操作を簡単にできるため、使用するのに便利である。また本考案は、上蓋が一部開いた状態にすることができるため、収容室内の液体を容易に取り出す効果を有している。前記実施例は、本考案の例示であり、本考案はこれに限定されない。本考案の概念に基づいて行われる均等範囲での変更もまた本考案の範囲内にある。
【符号の説明】
【００１９】
１    瓶本体
１１    収容室
１２    開口部
１３    雌ねじ部
１３１    切欠部
１３２    第１係合体
２    上蓋
２１    第１収容凹部
２２    第１マグネット部材
２３    蓋体
２４    凹溝
２５    パッキン
２６  雄ねじ部
２６１    第２係合体
３    コップ
３１    内蓋
３１１    周壁
３１２    頂壁
３１３    第２収容凹部
３１４    第２マグネット部材
３２    外蓋
【図１】
0003227216.tif 000003
【図２】
0003227216.tif 000004
【図３】
0003227216.tif 000005
【図４】
0003227216.tif 000006
【図５】
0003227216.tif 000007
【図６】
0003227216.tif 000008
【図７】
0003227216.tif 000009
【図８】
0003227216.tif 000010